(57)【要約】【課題】  嘴状の苗植付け体が圃場を突き刺して、保持する苗を圃場に植え付ける苗移植機について、苗植付け体が圃場に苗を植え付けて苗植付け体が上昇するときに、苗植付け体が苗を引っ掛けたりして植え付けた苗の植付姿勢が傾斜したりする苗の植付姿勢を良好にする。【解決手段】  苗を保持して上下方向に設定軌跡で昇降し、圃場に植え付ける嘴状の苗植付体と、該苗植付体の昇降動作に伴って機体前後方向に移動する移動体とを機体に設け、前記苗植付体が苗を圃場に植え付けるときには苗植付け体よりも前記移動体を機体方向前側に位置させ、苗植付け体が苗を植え付けた後に圃場から上昇したときには前記移動体を苗植付け体よりも機体方向後側に移動させることで苗の傾斜姿勢を起立状態に修正する。【選択図】図７
2005269930.tif 000002
【特許請求の範囲】
【請求項１】
苗を保持して上下方向に設定軌跡で昇降し、圃場に植え付ける嘴状の苗植付体と、該苗植付体の昇降動作に伴って機体前後方向に移動する移動体とを機体に設け、前記苗植付体が苗を圃場に植え付けるときには苗植付体よりも前記移動体を機体方向前側に位置させ、苗植付体が苗を植え付けた後に圃場から上昇したときには前記移動体を苗植付体よりも機体方向後側に移動させることを特徴とする野菜移植機。
【請求項２】
前記移動体には弾性部材を取付け、該移動体が機体後側に向かう移動途中で弾性部材が前記圃場に苗を植え付けて上昇する苗植付体と当接することを特徴とする請求項１記載の野菜移植機。
【発明の詳細な説明】
【技術分野】
【０００１】
本発明は、野菜苗の苗移植機に関するものである。
【背景技術】
【０００２】
特許文献１には、上下方向に昇降し、下端部が開閉する嘴状の苗植付体が圃場を突き刺して保持する苗を圃場に植え付ける苗移植機について記載されている。
【特許文献１】特開平１１−２１５９０３号公報
【発明の開示】
【発明が解決しようとする課題】
【０００３】
特許文献１においては苗植付体が圃場に苗を植え付けて苗植付体が上昇するときに、苗植付体が苗を引っ掛けたりして植え付けた苗の植付姿勢が傾斜したりする不具合が生じる場合がある。とくにネギ等の長い苗を植えるときには苗が苗植付体に引っかかり易く苗の植付姿勢が傾斜し易い。
【０００４】
本発明は、上記課題を解決し植付け後の苗の姿勢をより良好なものにすることを課題とする。
【課題を解決するための手段】
【０００５】
本発明の課題は、次の解決手段により解決される。
【０００６】
請求項１記載の発明は、苗を保持して上下方向に設定軌跡で昇降し、圃場に植え付ける嘴状の苗植付体と、該苗植付体の昇降動作に伴って機体前後方向に移動する移動体とを機体に設け、前記苗植付体が苗を圃場に植え付けるときには苗植付体よりも前記移動体を機体方向前側に位置させ、苗植付体が苗を植え付けた後に圃場から上昇したときには前記移動体を苗植付体よりも機体方向後側に移動させることを特徴とする野菜移植機とする。
【０００７】
請求項２記載の発明は、前記移動体には弾性部材を取付け、該移動体が機体後側に向かう移動途中で弾性部材が前記圃場に苗を植え付けて上昇する苗植付体と当接することを特徴とする請求項１記載の野菜移植機とする。
【発明の効果】
【０００８】
請求項１記載の発明によれば、苗植付体が苗を圃場に植え付けた後上昇するときに移動体が移動しながら苗植付体の後側位置に達することで植付け後傾斜した苗を直立方向に作用することが可能になり、植付姿勢がより良好なものになる。
【０００９】
請求項２記載の発明によれば、移動体に取り付けた弾性体が上昇する苗植付体と当接することで、苗植付体に付着する泥等を除去することができる。
【発明を実施するための最良の形態】
【００１０】
本発明の実施例について図面と共に説明する。
【００１１】
この発明の一実施例として一箇所に二つづつ苗を植え付けていく主にネギの苗を植える苗移植機を以下に説明する。なお、以下の図示例についての説明で前又は後というときは、操縦ハンドル２を配置した側を後とし、その反対側、即ちエンジン５を配置した側を前とする。そして、右又は左というときは、機体後部において機体前部側を前側として立つ作業者から見て右手側を右とし、左手側を左とする。また、図中の符号Ｎは植え付けた苗を示し、Ｇは植付け圃場面を示す。
【００１２】
苗移植機は、走行装置１と操縦ハンドル２を備えた機体に、昇降駆動する昇降リンク機構３と連結して昇降動作する開閉可能なクチバシ状の苗植付体４を備えた構成としている。
【００１３】
走行装置１は、図示例では、エンジン５と、該エンジン５の動力が伝達されて駆動回転する左右一対の後輪６，６と、該車輪６，６の前方に転動自在に支持した左右一対の前輪７，７とを備えたものとしている。
【００１４】
エンジン５の後部には、ミッションケース８を配置し、そのミッションケース８は、その左側部からエンジン５の左側方に延びるケース部分を有し、これがエンジン５の左側部と連結している。このケース部分にエンジン５の出力軸が入り込んでミッションケース８内の図３に示す伝動機構（走行部系変速伝動部Ｃ１と作業部系変速伝動部Ｃ２）に動力が伝達する構成となっている。
【００１５】
ミッションケース８の左右両側部に伝動ケース９，９を回動自在に取り付け、この伝動ケース９，９の回動中心にミッションケース８から左右両外側方に延出させた車輪駆動軸の先端が入り込んで、ミッションケース８内の走行部系変速伝動部Ｃ１を経た走行用の動力が伝動ケース９，９内の伝動機構に伝達している。そして、走行用の動力は伝動ケース９，９内の伝動機構を介して、機体後方側に延びてその後端側側方に突出する車軸１０，１０に伝動し、後輪６，６が駆動回転するようになっている。なお、後輪６，６が伝動ケース９，９の外側にあっても良い。
【００１６】
また、伝動ケース９，９のミッションケース８への取付部には、上方に延びるアーム１１，１１を一体的に取り付けていて、これがミッションケース８に固定された昇降用油圧シリンダ１２のピストンロッド先端に上下軸心周りに回動自在に取り付けた天秤杆１３の左右両側部と連結している。天秤杆１３の連結部の右側はロッド１４で連結し、左側は伸縮作動可能な左右水平制御用油圧シリンダ１５で連結している。
【００１７】
昇降用油圧シリンダ１２が作動して、そのピストンロッドが機体後方に突出すると、左右の前記アーム１１，１１は後方に回動し、これに伴い伝動ケース９，９が下方に回動して、機体が上昇する。反対に、昇降用油圧シリンダ１２のピストンロッドが機体前方に引っ込むと、左右の前記アーム１１，１１は前方に回動し、これに伴い伝動ケース９，９が上方に回動して、機体が下降する。この昇降用油圧シリンダ１２は、機体に対する畝上面高さを検出するセンサーＳの検出結果に基づいて機体を畝上面高さに対して設定高さになるよう作動するよう構成しており、また、操縦ハンドル２近傍に配置した操作具Ｌの人為操作によって機体を上昇或は下降させるよう作動する構成ともしている。
【００１８】
また、前記左右水平制御用油圧シリンダ１５が伸縮作動すると、前記天秤杆１３が、その左右中央部の昇降用油圧シリンダ１２のピストンロッド先端と連結する上下軸心周りに回動して左右の伝動ケース９，９を互い違いに上下動させ、機体を左右に傾斜させる。この左右水平制御用油圧シリンダ１５は、左右水平に対する機体の左右傾斜を検出するセンサ（図示せず）の検出結果に基づいて機体を左右水平になるように作動するよう構成している。
【００１９】
前記左右前輪７，７は、エンジン５下方の左右中央位置で前後方向の軸心周りに回動自在に取り付けた前輪支持フレーム１６の左右両側部の下方に延びる前輪高さ調節アーム７２部分の下端部側方に固定した車軸１７，１７に回転自在に取り付けている。従って、左右前輪７，７は、機体の左右中央の前後方向の軸心周りにローリング動自在となっている。
【００２０】
７０，７０は左右一対の案内輪で前輪７，７の前方にあって、案内輪支持アーム７１，７１を介して回転自在に連結されている。案内輪支持アーム７１，７１は前輪高さ調節アーム７２，７２に取り付けている連結アーム７３，７３に上下方向揺動自在に連結されている。そして、案内輪支持アーム７１，７１と連結アーム７３，７３とをスプリング７４，７４で接続し、案内輪７０，７０を図４に示すように上方に退避可能に構成している。そして左右の連結アーム７３，７３を左右幅調節可能な案内輪支持フレーム７５で連結し、該案内輪支持フレーム７５と連結アーム７３，７３との取り付け部７５ａ，７５ａは機体前後方向に揺動可能に取り付けることで、左右の案内輪７０，７０は一体に機体左右方向に揺動可能に構成している。
【００２１】
この案内輪７０，７０は前輪７，７より先行して畝溝あるいは、あらかじめ苗移植機を走行させることで作っておく轍（わだち）に沿って走行し、前輪７，７を操舵し、苗植付け作業時の苗移植機の走行性を安定させることができる。特に案内輪７０，７０を前輪７，７より小さい径のものを使用することで、轍のような浅い溝にも追従し易いものになる。
【００２２】
この案内輪７０，７０は畝の高さが高くない耕地や、あるいは畝を作らないで移植する耕地のように畝の傾斜面に沿って案内する畝案内ローラが使用できない耕地に苗を移植する場合に使用すると特に効果が大きい。
【００２３】
また、案内輪７０，７０を上方に折り畳めるよう構成することで、非作業時等に格納することができる。
【００２４】
なお、図５の７６は案内輪支持フレーム７５に固定している案内輪動作防止プレートで、昇降用油圧シリンダ１２の伸縮動作に連動する連動軸７７の動作により回動する回動板７８が案内輪動作防止プレート７６に挿入されると案内輪７０，７０の機体左右方向への揺動動作がロックされるよう構成されている。すなわち、昇降用油圧シリンダ１２が伸長し機体が上昇すると回動板７８が案内輪動作防止プレート７６に挿入され、案内輪７０，７０の機体左右方向への揺動動作をロックする。このような案内輪の左右方向動作防止部材により、非苗移植作業時の走行時に案内輪７０，７０が左右方向に前輪を操舵することを防止し、案内輪が過敏に左右に揺動するのを防止し、機体の直進性を損なうことを防止することが出来る。
【００２５】
前記操縦ハンドル２は、ミッションケース８に前端部を固定したハンドルフレーム２ｂの後端部に取り付けている。ハンドルフレーム２ｂは、走行装置１の左右中央位置から一側、本実施例では右側に偏った位置に配置されて後方に延び、また、前後中間部から斜め後上方に延びている。操縦ハンドル２は、ハンドルフレーム２ｂの後端部から左右後方に延びて、その各後端部を操縦ハンドル２のグリップ部２ａ，２ａとしている。操縦ハンドル２の左右のグリップ部２ａ，２ａは、作業者が、そのグリップ部２ａ，２ａを楽に手で握れるように適宜高さに設定する。また、グリップ部２ａ，２ａは走行装置１の左右内側に備えることで、機体の左右バランス、及び機体全体のコンパクト化を図っている。なお、図例ではグリップ部２ａ，２ａを左右に分かれた構成としているが、操縦ハンドル２の左右の後端部を互いに左右に連結してその連結部分をグリップ部としても良い。
【００２６】
次に、昇降リンク機構３及び苗植付体４について説明する。
【００２７】
苗植付体４は、昇降リンク機構３によって昇降動し、また、苗植付体の開閉機構によって開閉動する嘴（クチバシ）状の苗植付体であり、機体を前進走行させながら苗植付体４を昇降動させて、苗植付体４の昇降軌跡上位側で閉じ状態の苗植付体４の内側に上方から苗を受入れ、苗植付体４の昇降軌跡下位側で苗植付体４を下方に開放するように開いて内側に受入れた苗を外側に放出して苗を圃場に植付ける構成としたものである。
【００２８】
昇降リンク機構３は、ミッションケース８内の作業部系変速伝動部Ｃ２を経た苗移植作業部駆動用の動力を受けて伝動する伝動機構を内装する植付け伝動ケース１８に装着している。図例のように植付け伝動ケース１８は、その前部がミッションケース８の後部に連結し、そこから後斜め上方に延びる第一ケース部１８ａと、この第一ケース部１８ａの上部左側部に固定され、そこから左側方に伸びる第二ケース部１８ｂと、第二ケース部１８ｂの左外端部に固定されてそこから後方に延びる第三ケース部１８ｃと、第三ケース部１８ｃの後部左側部に固定され、そこから左側方に伸びる第四ケース部１８ｄと、第四ケース部１８ｄの左外端部に固定され、そこから後方に延びる第五ケース部１８ｅを有するものとしている。これら第一〜第五ケース部１８ａ〜１８ｅ内に昇降リンク機構３を昇降駆動するための動力を伝達する伝動機構を内装している。
【００２９】
なお、第一ケース部１８ａ内に内装した伝動機構には、昇降リンク機構３及び苗植付体４をその昇降動最上位の位置で或はその近傍位置で間欠的に停止させる間欠駆動機構Ｋと、昇降リンク機構３及び苗植付体４の昇降動を停止させるクラッチ機構とを備える。
【００３０】
間欠駆動機構Ｋは、苗植付体４を一サイクル植付け動作させて自動的に設定位置で停止させる一回転停止機構と、この一回転停止機構による苗植付体４を一サイクル植付け動作の開始操作を行う一回転開始機構を備え、その一回転開始機構の作動タイミングが前記株間変更用変速部Ｃ３によって調節される構成として、この調節によって苗植付体４の停止間隔が調節されて苗植付株間が変更調節されるようになっている。
【００３１】
また、一回転停止機構による苗植付体４の一サイクル植付け動作は、株間変更用変速部Ｃ３を経ないで伝動した動力によって駆動回転される構成としている。従って、株間変更用変速部Ｃ３によって苗植付株間が変更されても、機体前進速度に対する苗植付体４の昇降駆動速度は変更されず、苗植付体４は作業走行時において地面に対して設定した軌跡で昇降動するようになっている。
【００３２】
そして、昇降リンク機構３は、左右の苗植付体４の前側に設けた左右方向の連結軸１９の左右二個所で回動自在に連結する第一昇降アーム２０と、苗植付体４の後側に設けた左右方向の連結軸２１の左側部に回動自在に連結する第二昇降アーム２２とを備える。そして、第一昇降アーム２０の下端部は、第三ケース部１８ｃの下部にから右側に延びる取付軸に揺動自在に取り付けた第一揺動アーム２３の先端部と回動自在に連結し、第二昇降アーム２２の下端部は、図３に示すように第五ケース部１８ｅの後部側下部にから右側に延びる取付軸に揺動自在に取り付けた第二揺動アーム２４の先端部と回動自在に連結する。
【００３３】
また、第一昇降アーム２０の中間部は、第三ケース部１８ｃの右側部から突出し駆動回転する第一駆動軸２５に固定されて駆動回転する第一駆動アーム２６の先端部と回動自在に連結し、第二昇降アーム２２の中間部は、第五ケース部１８ｅの後部側右側部から突出し、駆動回転する第二駆動軸２７に固定されて駆動回転する第二駆動アーム２８の先端部と回動自在に連結する。
【００３４】
従って、第一駆動アーム２６と第二駆動アーム２８とが植付け伝動ケース１８内の伝動機構によって動力が伝達されて駆動回転すると、第一昇降アーム２０と第二昇降アーム２２が揺動しながら昇降動し、その結果、苗植付体４の下端部は、図示のような軌跡Ｔを機体に対して描いて昇降動する。嘴（クチバシ）状の苗植付体４は、その昇降軌跡下端まで下降すると開き作動して苗植付体４内の苗を圃場の土壌に放出する。
【００３５】
図９に示すＭＴは本例の苗移植機の苗植付体４の下端部の機体前進による前方移動を含む作業走行時昇降軌跡である。この苗植付体４の下端部の作業走行時昇降軌跡ＭＴは、その昇降軌跡ＭＴ上端となる下降開始点から機体後方側に移動しながら昇降軌跡ＭＴ下端となる下降終了点に向かって機体後方側に膨らんだ下降軌跡ｄを描きながら下降し、昇降軌跡ＭＴ下端となる上昇開始点から機体前方側に移動しながら昇降軌跡ＭＴ上端となる上昇終了点に向かって機体後方側に膨らんだ上昇軌跡ｕを描きながら上昇するというような昇降軌跡に設けている。
【００３６】
本実施例の苗植付体４は、下方に尖った嘴（クチバシ）状の先鋭部を二個有する形状のもので、左右方向に同時に開閉動作する左右一対の外側苗植付体（左外側苗植付体４ａ，右外側苗植付体４ｃ）を備える。そして、苗植付体４を昇降駆動する前後一対の昇降アーム２０，２２のそれぞれに苗植付体４を回動自在に連結する左右方向の連結軸１９，２１を苗植付体４の上部前後両側方に設けた構成としている。
【００３７】
また、左外側苗植付体４ａと右外側苗植付体４ｃとはスプリング（図示せず）にて苗植付体４を閉じる方向に互いに連結している。更に、第二昇降アーム２２の基部側部分に、左外側苗植付体４ａと右外側苗植付体４ｃを開閉動作させるための開閉アーム３１を回動自在に連結し、その開閉アーム３１の先端部と左外側苗植付体４ａの上部後側から延びるアーム部とを連結ロッド３２で連結している。
【００３８】
開閉アーム３１の中間部には、苗植付体４がその昇降軌跡下端まで下降したときに、第二昇降アーム２２を回動自在に連結している第二駆動アーム２８の先端部に固定の軸に固定したカム３４と該カム３４に開閉アーム３１を圧接させるスプリング（図示せず）の作用によって開閉アーム３１が上下に回動し、開閉アーム３１が上方に回動すると左外側苗植付体４ａが右側の回動軸４ｄ周りに上方回動し、これに連動して右外側苗植付体４ｃが左側の回動軸４ｄ周りに上方回動して、苗植付体４内側の左右の苗植付体４ａ，４ｂが同時に開く。
【００３９】
そして、苗植付体４が昇降軌跡上端に達する直前にカム３４による開き作用から開放されて苗植付体４が閉じる。
【００４０】
なお、８０は苗植付体４で圃場に植え付けた苗の傾きを防止する移動体で、苗植付体４の植付け動作に伴って機体前後方向に揺動するよう構成しており、具体的には苗植付体４が苗植付体４内の苗を放出するときには苗植付体４より前側に位置しており、苗植付体４が苗植付体４内の苗を放出した後に苗植付体４が上方に上昇しているとき後方に向かって苗植付け箇所まで動作する。そして、苗植付体４が前側に向かって上昇する動作に接触等して前側に傾こうとする苗を、移動体８０で苗をおさえることで苗の傾きを防止する。あるいは、移動体８０が苗植付け箇所まで移動する前に植え付けた苗が前側に傾いていた場合でも、移動体８０が苗を後側に向かって押すことにより、苗の傾きを修正し、従来、特にネギのように長い苗を移植すると傾きやすかった苗の植付け姿勢をより良好にするものである。
【００４１】
さらに移動体８０の構成について詳述すると、移動体８０は取り付けアーム８１と、弾性体の苗押え板８２Ｌ，８２Ｒと、苗押え板８２Ｌ，８２Ｒよりも軟らかい素材の弾性体の植付体スクレーパ８３Ｌ，８３Ｒとから構成されており、苗押え板８２Ｌ，８２Ｒと植付体スクレーパ８３Ｌ，８３Ｒは取り付けアーム８１の先端側に機体前後方向に重ねて取り付けられている。そして、本実施例では前後方向にずらして同時に植える二条分の苗をそれぞれ同じ様に押えられるように左右の苗押え板８２Ｌ，８２Ｒも前後方向にずらして設けている。そして、取り付けアーム８１の基端側は昇降リンク機構３の第二揺動アーム２４に取り付けられており、苗植付体４の昇降動作に伴い移動体８０が機体前後方向に揺動するよう構成している。そして、苗植付体４が下降して苗を圃場に放出するときには移動体８０は苗植付体４より機体前側に退避しており、苗植付体４が苗を圃場に放出した後上昇するときには移動体８０は苗植付体４の下端部よりも下方かつ機体後側に移動し、苗植付箇所手前まで移動すると、再度機体前側に向かって移動する。本実施例では同時に前後方向にずれて植え付けられた２条分の苗を同じように押えるよう苗押さえ板８２Ｌ，８２Ｒの前後位置を苗植付体４の下端部の前後のずれと同様にずらして構成している。
【００４２】
なお、移動体８０が前後移動するとき、昇降動作する苗植付体４と植付体スクレーパ８３Ｌ，８３Ｒとが当接するよう構成されていて、そのときには植付体スクレーパ８３Ｌ，８３Ｒが外側苗植付体４ａ，４ｃの外面をスクレープしながら移動することにより外側苗植付体４ａ，４ｃの外面に付着した泥を除去できるよう構成している。そのため、苗植付体４が圃場に突き刺す精度の低下を防止することが出来る。
【００４３】
鎮圧体３６，３６は、苗植付体４の下降下端個所の左右両外側近傍位置に配置した接地体であり、本例では、接地転動輪で構成している。この鎮圧体３６，３６は、ハンドルフレーム２ｂの途中部に前部が左右軸回りに回動自在に取付けた左右の支持フレーム３７，３７の後部側にそれぞれ横軸回りに回転自在に取付けている。左右の支持フレーム３７，３７の後部は互いに連結する連結部３８を有し、該連結部３８と、機体後部側に設けた支持部材３９に下降下限位置を設定して上下動自在に取付けた後部支持ロッド４０の下端部を横軸回りに取付けている。この後部支持ロッド４０には、鎮圧体３６，３６の鎮圧力を増大させるためのウエイト４１を装着している。
【００４４】
本例の苗移植機は、昇降動及び開閉動する嘴（クチバシ）状の苗植付体４を自走可能な機体に設け、機体を前進走行させながら苗植付体４を昇降動させて、苗植付体４の昇降軌跡上位側で閉じ状態の苗植付体４の内側に上方から苗を受入れ、苗植付体４の昇降軌跡下位側で苗植付体４を下方に開放するように開いて内側に受入れた苗を二条同時に外側に放出して苗を圃場に植付ける構成とした苗移植機において、二つの苗を苗植付体に供給する苗供給装置４２を備える。
【００４５】
いずれにしても上記苗供給装置４２によって、苗植付体４の下方に尖った先鋭部Ｎ一つに対して二つの苗が、その先鋭部４Ｎの内側に供給され、苗植付体４の先鋭部４Ｎの下端部が土中に突入して一の先鋭部４Ｎが一の植付け穴する。植付け穴を形成した後、前記苗植付体４の先鋭部４Ｎを下方を開放するように開くと、一つの植付け穴に対して二つの苗が放出されて、一箇所に二つの苗が植え付けられる。こうして、上記苗供給装置４２を備えたことにより、能率良く且つ適確に、一箇所に二つづつ苗を植え付けていくことができる。
【００４６】
本例の苗供給装置４２は、苗植付体４に上方から苗を落下させて供給する構成としたものであり、上下に開口する筒状体４３…と該筒状体４３…の下側の開口部を開閉する底蓋４４…とを有し、互いにループ状に連結する複数の苗収容体４５…と、該苗収容体４５…を前記苗植付体４の上方を通過する状態で機体平面視非円形のループ状の軌跡で周回動させる苗収容体移動機構４６と、前記苗収容体４５…の底蓋４４…を苗植付体４の上方位置まで支持する底蓋支持機構６７を設けた構成としている。そのため、この苗移植機は、苗供給作業を余裕をもって行え、作業能率の向上が図れる。
【００４７】
そしてまた、この苗移植機の苗供給装置４２は、伝動軸５０の伝動を受けた二本の駆動軸４７ｂ，４７ｃでスプロケット４８ｂ，４８ｃを駆動させて苗収容体４５…が機体平面視で左右方向に長円形状軌跡で周回動する構成とし、且つ、苗収容体４５…が左右方向に直線的に移動する区間で苗植付体４の上方を通過するように配置した構成とし、隣り合う二つの苗収容体４５，４５が苗植付体４の上方を通過するとき、底蓋支持機構６７が途切れており、底蓋４４，４４が支持を失い、その二つの苗収容体４５，４５の底蓋４４，４４が開いて、苗植付体４に供給する。よって、二つの苗を同時に植付ける苗植付体４に対して苗を供給する苗供給装置４２を簡略に構成でき、また、苗収容体４５…に対して苗を供給しやすくするために苗収容体４５…が連続的に移動するように苗収容体移動機構４６を駆動しても、苗植付体４の二つの苗収容部４Ｌｒ，４Ｒｒ内に対しそれぞれ同様な落下軌跡で苗を苗収容体４５…から落下供給できて、２つの苗を同時に植付け可能な苗植付体４に対する苗の供給が適確に行え、適確な苗移植が行える。
【００４８】
なお、苗供給装置４２の配置構成について述べると、苗供給装置４２は駆動軸４７ｂ，４７ｃが走行装置１より左右方向内側にそれぞれ配置し、かつ、苗植付体４を挟んで左右外側に配置することで、苗供給装置４２の全体を走行装置１の左右略中央位置にある苗植付体４の左右両側に向かってバランス良く配置することが可能になり機体の左右バランスが向上し、ハンドルフレーム２ｂを機体平面視で走行装置の左右中央位置より左右一側に偏倚して設けたことで機体全体をコンパクトにすることが出来ながら、作業者が苗供給装置４２に苗を供給するスペースを確保することができ、苗補給をよりし易くし、苗の移植作業の能率を向上させることが出来る。また、特に操縦ハンドル２のグリップ部２ａ，２ａを走行装置１の左右内側に収めることでさらに機体をコンパクトに収めることが出来る。
【産業上の利用可能性】
【００４９】
本発明はねぎなどの苗移植機として利用できる。
【図面の簡単な説明】
【００５０】
【図１】本発明の実施例の苗移植機の側面図。
【図２】図１の苗移植機の平面図。
【図３】図１の苗移植機の伝動構成を示す説明図。
【図４】苗移植機の案内輪の斜視図。
【図５】案内輪動作防止プレートの斜視図。
【図６】苗植付体及び移動体の背面図。
【図７】移動体の動作を示す図。
【図８】苗植付体の植付け軌跡を示す図。
【図９】苗供給装置の部分図。
【符号の説明】
【００５１】
１  走行装置
４  苗植付体
８０  移動体
８１  取付けアーム
８２  苗押さえ板
８３  植付体スクレーパ
【図１】
2005269930.tif 000003
【図２】
2005269930.tif 000004
【図３】
2005269930.tif 000005
【図４】
2005269930.tif 000006
【図５】
2005269930.tif 000007
【図６】
2005269930.tif 000008
【図７】
2005269930.tif 000009
【図８】
2005269930.tif 000010
【図９】
2005269930.tif 000011